(57)【要約】【課題】主駆動タービンの内側に燃焼噴出機構を配置し、主駆動タービンが回転する方向に沿って排気を高速で噴出することにより、主駆動タービンを介してタービン部材を効率良く回転させることのできる飛行機体の回転排気式エンジンを提供する。【解決手段】本発明は、円筒部本体の内部に、底部分を有する保持筒体を配置し、この保持筒体を貫通する中央回転軸部を有する縦型のタービン部材を保持筒体に回転可能に取り付け、タービン部材の回転により大型のプロペラを回転させる飛行機体の回転排気式エンジンであり、保持筒体の底部分の外周壁に燃焼噴出機構を設ける一方、中央回転軸部の下方に、燃焼噴出機構を取り囲むように主駆動タービンを配置している。【選択図】図４
2010133273.tif 000002
【特許請求の範囲】
【請求項１】
円筒部本体の内部に、底部分を有する保持筒体を配置し、この保持筒体を貫通する中央回転軸部を有する縦型のタービン部材を保持筒体に回転可能に取り付け、タービン部材の回転により大型のプロペラを回転させる飛行機体の回転排気式エンジンであり、保持筒体の底部分の外周壁に燃焼噴出機構を設ける一方、中央回転軸部の下方に、燃焼噴出機構を取り囲むように主駆動タービンを配置していることを特徴とする飛行機体の回転排気式エンジン。
【請求項２】
保持筒体は、タービン部材の回転により取り込んだ空気を圧縮するもので、この保持筒体の底部分と燃焼噴出機構が連通しており、保持筒体内で圧縮した空気を燃焼噴出機構に送り込む請求項１に記載の飛行機体の回転排気式エンジン。
【請求項３】
燃焼噴出機構は、保持筒体の底部分の外周壁に、排気噴出口を有する複数の高圧空気路を設け、それぞれの高圧空気路内には、開口部を有する燃料噴射体を配置し、複数の高圧空気路は、保持筒体の外周壁に沿うように配置されている請求項１または２に記載の飛行機体の回転排気式エンジン。
【請求項４】
主駆動タービンは、立設した複数の大タービン羽根を備え、大タービン羽根の下端部側と中央回転軸部を湾曲した板羽根部材により連結し、保持筒体の底部分の外周壁に設けている燃焼噴出機構を取り囲む高さを備えている請求項１に記載の飛行機体の回転排気式エンジン。
【請求項５】
主駆動タービンの内側に位置している燃焼噴出機構は、主駆動タービンが回転する方向に沿って排気を高速で噴出して大タービン羽根の内側に旋回流を生じさせ、この旋回流により主駆動タービンを回転させている請求項１、請求項３または４に記載の飛行機体の回転排気式エンジン。
【請求項６】
円筒部本体の内部に生じた旋回流は、円筒部本体の下部に位置する回転排気排出口から排出される請求項５に記載の飛行機体の回転排気式エンジン。
【発明の詳細な説明】
【技術分野】
【０００１】
本発明は、航空機分野における、例えば、輸送用ヘリコプター等に搭載される、飛行機体の回転排気式エンジンに関するものである。
【背景技術】
【０００２】
近年におけるヘリコプターは、航空機に搭載するジェットエンジン類のジェット推進力を、プロペラの回転力に使用するようになっている。
【０００３】
例えば、従来においては、特許文献１に開示されているように、直列２重ターボシャフト・エンジンとして、１本のエンジン出力軸を備え、このエンジン出力軸上に直列に並べられた主エンジンと補助エンジンにより構成されているターボシャフト・エンジンとしての技術が存在する。
【０００４】
この主エンジンは、コンプレッサ（主エンジンコンプレッサ）、燃焼器（主エンジン燃焼器）、ガスジェネ・タービン（主エンジンガスジェネ・タービン）、およびパワー・タービン（主エンジンパワー・タービン）を有している。
【０００５】
また、補助エンジンは、主エンジンと同様に、コンプレッサ（補助エンジンコンプレッサ）、燃焼器（補助エンジン燃焼器）、ガスジェネ・タービン（補助エンジンガスジェネ・タービン）、およびパワー・タービン（補助エンジンパワー・タービン）を有している。
【０００６】
この補助エンジンは、主エンジンに対して比較的小型であるが、主エンジンの故障時に、飛行を継続して緊急に着陸するのに必要な出力を最大出力（ＭＡＸ出力）により発生可能としている。
【０００７】
さらに、主エンジンのパワー・タービンの出力軸とエンジン出力軸は、その間に介装された一方向クラッチにより結合され、主エンジンの故障時に補助エンジンの動作が妨げられない構造となっている。
【０００８】
同様に、補助エンジンのパワー・タービンの出力軸とエンジン出力軸とは、その間に介装された一方向クラッチにより結合され、補助エンジンの故障時に主エンジンの動作が妨げられない構造となっている。
【特許文献１】特開平５−１９３５７９号公報
【発明の開示】
【発明が解決しようとする課題】
【０００９】
しかしながら、上記した特許文献１に示すターボシャフト・エンジンの場合、エンジンの前方に位置する空気取り入れ口側から、エンジンの後方に位置する空気の噴出口側に至る直進路において、タービン羽根が二段以上に設けられており、エンジン内で勢い良く直進する空気に対して、これを真正面から受けるようにタービン羽根が位置し、所定の角度を有するタービン羽根に空気が当たって通過するときにタービン羽根が回転することから、エンジン内で勢い良く直進する空気を介して、タービン羽根を効率良く回転させることができなかった。
【００１０】
具体的には、エンジン内で勢い良く直進する空気を遮るようにタービン羽根が位置していることから、エンジン内で勢い良く直進する空気に対して、タービン羽根が抵抗として作用してしまうのである。
【００１１】
このような事態は、エンジン内において空気が進行する方向と、タービン羽根、エンジン出力軸が回転する方向が異なる事を要因として生ずるものである。
【００１２】
そこで、本発明は如上のような従来存した諸事情に鑑み創出されたもので、主駆動タービンの内側に燃焼噴出機構を配置し、主駆動タービンが回転する方向に沿って排気を高速で噴出することにより、主駆動タービンを介してタービン部材を効率良く回転させることのできる飛行機体の回転排気式エンジンを提供することを目的とする。
【課題を解決するための手段】
【００１３】
本発明は、円筒部本体の内部に、底部分を有する保持筒体を配置し、この保持筒体を貫通する中央回転軸部を有する縦型のタービン部材を保持筒体に回転可能に取り付け、タービン部材の回転により大型のプロペラを回転させる飛行機体の回転排気式エンジンであり、保持筒体の底部分の外周壁に燃焼噴出機構を設ける一方、中央回転軸部の下方に、燃焼噴出機構を取り囲むように主駆動タービンを配置していることで、上述した課題を解決した。
【００１４】
また、保持筒体は、タービン部材の回転により取り込んだ空気を圧縮するもので、この保持筒体の底部分と燃焼噴出機構が連通しており、保持筒体内で圧縮した空気を燃焼噴出機構に送り込むことで、同じく上述した課題を解決した。
【００１５】
さらに、燃焼噴出機構は、保持筒体の底部分の外周壁に、排気噴出口を有する複数の高圧空気路を設け、それぞれの高圧空気路内には、開口部を有する燃料噴射体を配置し、複数の高圧空気路は、保持筒体の外周壁に沿うように配置されていることで、同じく上述した課題を解決した。
【００１６】
また、主駆動タービンは、立設した複数の大タービン羽根を備え、大タービン羽根の下端部側と中央回転軸部を湾曲した板羽根部材により連結し、保持筒体の底部分の外周壁に設けている燃焼噴出機構を取り囲む高さを備えていることで、同じく上述した課題を解決した。
【００１７】
加えて、主駆動タービンの内側に位置している燃焼噴出機構は、主駆動タービンが回転する方向に沿って排気を高速で噴出して大タービン羽根の内側に旋回流を生じさせ、この旋回流により主駆動タービンを回転させていることで、同じく上述した課題を解決した。
【００１８】
また、円筒部本体の内部に生じた旋回流は、円筒部本体の下部に位置する回転排気排出口から排出されることで、同じく上述した課題を解決した。
【発明の効果】
【００１９】
本発明は、円筒部本体の内部に、底部分を有する保持筒体を配置し、この保持筒体を貫通する中央回転軸部を有する縦型のタービン部材を保持筒体に回転可能に取り付け、タービン部材の回転により大型のプロペラを回転させる飛行機体の回転排気式エンジンであり、保持筒体の底部分の外周壁に燃焼噴出機構を設ける一方、中央回転軸部の下方に、燃焼噴出機構を取り囲むように主駆動タービンを配置していることから、燃焼噴出機構により高速で噴出される排気により、主駆動タービンを介して中央回転軸部を有するタービン部材を効率良く回転させることができる。
【００２０】
また、保持筒体は、タービン部材の回転により取り込んだ空気を圧縮するもので、この保持筒体の底部分と燃焼噴出機構が連通しており、保持筒体内で圧縮した空気を燃焼噴出機構に送り込むことから、燃焼噴出機構から排気をより高速に噴出でき、主駆動タービンを介してタービン部材を効率良く回転させることができる。
【００２１】
さらに、燃焼噴出機構は、保持筒体の底部分の外周壁に、排気噴出口を有する複数の高圧空気路を設け、それぞれの高圧空気路内には、開口部を有する燃料噴射体を配置し、複数の高圧空気路は、保持筒体の外周壁に沿うように配置されていることから、円筒部本体の内部における保持筒体の底部分の周囲に旋回流を生じさせ、この旋回流により主駆動タービンを介してタービン部材を効率良く回転させることができる。
【００２２】
また、主駆動タービンは、立設した複数の大タービン羽根を備え、大タービン羽根の下端部側と中央回転軸部を湾曲した板羽根部材により連結し、保持筒体の底部分の外周壁に設けている燃焼噴出機構を取り囲む高さを備えていることから、円筒部本体の内部における保持筒体の底部分の周囲に生じている旋回流を効率良く受け止めて、高速で回転することができる。
【００２３】
加えて、主駆動タービンの内側に位置している燃焼噴出機構は、主駆動タービンが回転する方向に沿って排気を高速で噴出して大タービン羽根の内側に旋回流を生じさせることから、この旋回流により主駆動タービンを高速に回転させることができる。
【００２４】
また、円筒部本体の内部に生じた旋回流は、円筒部本体の下部に位置する回転排気排出口から排出されることで、所定の揚力を得ることができる。
【発明を実施するための最良の形態】
【００２５】
以下に、本発明を実施するための最良の形態を、図面を参照して説明する。
【００２６】
本発明に係る飛行機体Ｐの回転排気式エンジン1は、例えば、図１・図２に示す所定の飛行機体Ｐにおいて、その後方側に位置する室内に設置されている。
【００２７】
この回転排気式エンジン１は、図３・図４に示すように、円筒部本体２の内部に保持筒体３が固定されており、この保持筒体３の内部に縦型のタービン部材４が回転自在に取り付けられている。保持筒体３は、タービン部材４の回転により取り込んだ空気を圧縮するものである。
【００２８】
円筒部本体２は、図４に示すように、上筒部分２ａと下筒部分２ｂを上下に連設して形成されている。上筒部分２ａと下筒部分２ｂの間には、所定の隔たりが存在し、熱の伝達防止用空間５を形成している。
【００２９】
上筒部分２ａの上面には、図３に示すように、所定幅の輪郭縁部材６を固着している。この輪郭縁部材６の内側には、長方形状の仕切板部材７を、上筒部分２ａの中心に向けて複数配置している。各仕切板部材７間には、略三角形状の隔たりが複数存在し、空気取り入れ開口部８を形成している。また、上筒部分２ａの中心に位置している各仕切板部材７の先端部には、タービン部材４を回転可能に支持するベアリング部材９が固定されている。
【００３０】
円筒部本体２の内部に固定されている保持筒体３は、上筒部分２ａの輪郭縁部材６の内側に合致した開口部を上方に備えている。また、保持筒体３は、開口部から下方に向けて次第に径を小さくする長尺な周壁を備えている。さらに、次第に径を小さくする周壁の下部には、底部分が連設されている。
【００３１】
この底部分は、径を等しくする短尺な周壁と、この周壁の下端部を閉鎖する底板により形成されている。
【００３２】
これらの開口部、次第に径を小さくする周壁、周壁の下部に連設した底部分により、保持筒体３は略椀型に形成されている。
【００３３】
そして、上筒部分２ａの底板部には、保持筒体３の次第に径を小さくする周壁を貫装させる孔が設けられている。また、下筒部分２ｂの上面部には、保持筒体３の底部分を貫装させる孔が設けられている。
【００３４】
このようにして、図４に示すように、保持筒体３の開口部が輪郭縁部材６の内側部分に接合した状態で、また、次第に径を小さくする周壁の下方部分が底板部の孔を貫装した状態で、保持筒体３が上筒部分２ａの内部に固定されている。さらに、保持筒体３の底部分が、下筒部分２ｂの上面部の孔を貫装し、保持筒体３の底部分が下筒部分２ｂの上部に進入した状態で、保持筒体３が下筒部分２ｂの上面に固定されている。
【００３５】
上筒部分２ａの内部に位置している保持筒体３の周壁の内側には、図５・図６に示すように、複数の圧縮外側羽根１０が等間隔に固定され、保持筒体３内において空気圧縮室１１を形成している。また、上筒部分２ａの内部における保持筒体３の外側部分は、燃料貯留室１２となっている。
【００３６】
下筒部分２ｂの上部に進入している保持筒体３の底部分の内側には、図５に示すように、上方仕切板１３と下方仕切板１４が固定されており、上方仕切板１３と下方仕切板１４の間で第一高圧室１５を形成している。また、下方仕切板１４と底板の間で第二高圧室１６を形成している。
【００３７】
加えて、下筒部分２ｂの上部に進入している保持筒体３の底部分の外周（第一高圧室１５の外周）には、図４・図７に示すように、燃焼噴出機構２０を巻回状に設けている。
【００３８】
燃焼噴出機構２０は、図４・図７に示すように、保持筒体３の底部分の外周（第一高圧室１５の外周）に、所定の高圧空気路２１を４個設けている。この高圧空気路２１は、図７に示すように、保持筒体３の底部分の外周（第一高圧室１５の外周）に沿った所定の長さを有する曲線状に形成され、その基端部が所定の開口部２２を介して保持筒体３の第一高圧室１５に連通している。高圧空気路２１は、略円弧状に形成されている保持筒体３の底部分の外周に沿うように配置されているのである。
【００３９】
また、高圧空気路２１の先端部は、排気噴出口２３を形成している。そして、高圧空気路２１の基端部が保持筒体３の第一高圧室１５に連通していることから、高圧空気路２１には、加圧されて高圧になっている空気が送り込まれるのである。
【００４０】
高圧空気路２１内には、燃料噴射体３０が配置されている。この燃料噴射体３０は、図８に示すように、複数の空気取り入れ孔３１を有する外側ケース３２と、内側ケース３３の二重構造となっており、先端側に開口部３４を有している。また、燃料噴射体３０の基端側には、複数の燃料噴射ノズル３５を設けている。この燃料噴射ノズル３５は、外側ケース３２と内側ケース３３の間に燃料を霧状に噴射するものである。さらに、燃料噴射体３０の側面に、点火栓３６を設けている。また、燃料噴射体３０基端部には、燃料パイプ３７が接続されている。
【００４１】
燃焼噴出機構２０における高圧空気路２１の排気噴出口２３と燃料噴射体３０の開口部３４は、図７に示すように、いずれも保持筒体３の外周壁に沿うように
形成されている。尚、高圧空気路２１の排気噴出口２３と燃料噴射体３０の開口部３４について、その先端部分が若干内側を向くように折曲するように形成しても良い。
【００４２】
また、下筒部分２ｂの中程には、図５に示すように、複数の長尺連結板部材４０と底室４１が存在し、下筒部分２ｂにおいて、長尺連結板部材４０と底室４１の上方に噴出回転排気室３８を形成している。高圧空気路２１の排気噴出口２３は、この噴出回転排気室３８に通じている。
【００４３】
下筒部分２ｂの中程においては、図５に示すように、長方形状の長尺連結板部材４０を下筒部分２ｂの中心に向けて複数配置し、この長尺連結板部材４０を介して下筒部分２ｂの下方に底室４１を固定している。
【００４４】
この底室４１は、中空の円錐台形状に形成されている。また、底室４１の下部においても、短尺連結板部材４２を介して下筒部分２ｂの下方に底室４１を固定している。そして、短尺連結板部材４２下方側は、ドーナツ型の回転排気排出口４３を形成している。
【００４５】
また、底室４１の上面における中央部分には、タービン部材４を回転可能に支持するベアリング部材４４が固定されている。
【００４６】
そして、円筒部本体２における保持筒体３の内部と、噴出回転排気室３８の内部に、縦型のタービン部材が、ベアリング部材９・４４を介して回転自在に取り付けられている。
【００４７】
タービン部材４は、図９に示すように、所定の長さの中央回転軸部５０を備えている。この中央回転軸部５０は、図４に示すように、保持筒体３を貫通するように配置されている。
【００４８】
中央回転軸部５０の中程には、円錐台形状の基部５１が固定されている。また、基部５１の周面には、複数の圧縮内側羽根５２が列層状に固定されている。この圧縮内側羽根５２は、タービン部材４の取付時に、保持筒体３内の空気圧縮室１１に位置するものである。具体的には、空気圧縮室１１に固定されている各圧縮外側羽根１０の間に、タービン部材４の各圧縮内側羽根５２が位置している。また、各圧縮外側羽根１０は、取り込んだ空気を保持筒体３の底部分に向けて送り込むものである。
【００４９】
中央回転軸部５０における圧縮内側羽根５２の下側には、上側高圧羽根５３を備えている。上側高圧羽根５３は、図１０に示すように、立設した複数の小タービン羽根５４を備え、個々の小タービン羽根５４の上下に、中央部分が刳り貫かれた円形の板部材５５を固定している。個々の小タービン羽根５４は、若干湾曲した円弧形状に形成されている。また、複数の小タービン羽根５４は、いずれも所定の傾斜角度を有して並設されている。
【００５０】
さらに、複数の小タービン羽根５４の内側には、側方に湾曲した板羽根部材５６が複数存在する。この板羽根部材５６は、小タービン羽根５４側から中心部に向けて延設され、先端部に筒部材５７を固定している。この上側高圧羽根５３は、タービン部材４の取付時に、保持筒体３内の第一高圧室１５に位置するものである。
【００５１】
また、中央回転軸部５０における上側高圧羽根５３の下側には、下側高圧羽根５８を備えている。下側高圧羽根５８は、図１０に示すように、筒部材５９の周囲に、側方に湾曲した板羽根部材６０を複数固定して形成している。この下側高圧羽根５８は、タービン部材４の取付時に、保持筒体３内の第二高圧室１６に位置するものである。
【００５２】
加えて、中央回転軸部５０における下側高圧羽根５８の下側には、主駆動タービン６１を備えている。主駆動タービン６１は、全体が円形で内側の全体が窪んでいる略笊型に形成されている。
【００５３】
主駆動タービン６１は、図１０に示すように、立設した複数の大タービン羽根６２を備え、個々の大タービン羽根６２の上下に、円形の補強部材６３を固定している。個々の大タービン羽根６２は、若干湾曲した円弧形状に形成されている。また、複数の大タービン羽根６２は、いずれも所定の傾斜角度を有して並設されている。
【００５４】
また、下側の補強部材６３の内側には、湾曲した板羽根部材６４が複数存在する。この板羽根部材６４は、基端部が下側の補強部材６３に固定され、補強部材６３側から中心部に向けて延設されている。板羽根部材６４の基端部分は、上方に向けて折曲しており、この折曲部分と大タービン羽根６２の存在により、主駆動タービン６１が所定の高さを備えるように形成されている。また、個々の板羽根部材６４の先端部には、主駆動タービン６１をタービン部材４に取り付ける元部６５を固定している。
【００５５】
主駆動タービン６１は、タービン部材４の取付時に、下筒部分２ｂの噴出回転排気室３８に位置するものである。このとき、主駆動タービン６１は、保持筒体３の底部分の外周（第一高圧室１５の外周）に巻回状に設けている燃焼噴出機構２０を取り囲むように配置されている。
【００５６】
具体的には、図４に示すように、主駆動タービン６１の板羽根部材６４の上方に、保持筒体３の底部分を形成する底板が存在する状態において、大タービン羽根６２の内側に燃焼噴出機構２０が位置している。
【００５７】
この他、主駆動タービン６１は、空気冷却機構を備えている。この空気冷却機構は、元部６５、板羽根部材６４、下側の補強部材６３、大タービン羽根６２により形成されている。
【００５８】
元部６５は、図９に示すように、中央回転軸部５０に固定されているもので、中央回転軸部５０に沿った垂直筒部分６５ａと、垂直筒部分６５ａの下部から側方に延びる円形部分６５ｂにより形成されている。この元部６５は、保持筒体３の底部分を形成する底板に、ベアリング部材６６を介して取り付けられている。
【００５９】
また、元部６５は、垂直筒部分６５ａと円形部分６５ｂにかけて、複数の吸引通路６７を有している。この垂直筒部分６５ａの吸引通路６７は、保持筒体３内の第二高圧室１６に連通するように位置している。
【００６０】
さらに、板羽根部材６４と下側の補強部材６３は、共に中空状に形成され、内部に空気流通路を有している。また、大タービン羽根６２も、複数の空気噴射通路６８を有している。そのため、第二高圧室１６内の圧縮された高圧空気が、元部６５の吸引通路６７に入り、板羽根部材６４と下側の補強部材６３の空気流通路を通って大タービン羽根６２に送られ、大タービン羽根６２の空気噴射通路６８から噴射されて、主駆動タービン６１の全体が空気冷却されるのである。
【００６１】
主駆動タービン６１の内側に位置している燃焼噴出機構２０の燃料噴射体３０への燃料の供給は、所定の燃料供給管７０を介して行う。燃料供給管７０の先端部は、図４に示すように、上筒部分２ａの燃料貯留室１２に連設している。また、燃料供給管７０の基端部は、燃料噴射体３０の燃料パイプ３７に接続している。この燃料供給管７０は、燃料の流量調節部７１を備えている。
【００６２】
また、図１１に示すように、保持筒体３に沿って高圧空気管７２を取り付けても良い。この高圧空気管７２の基端部は、保持筒体３の第二高圧室１６に連設している。また、高圧空気管７２の先端部は、燃料貯留室１２の上部に位置するように保持筒体３に固定されている。
【００６３】
この場合、第二高圧室１６から高圧空気が高圧空気管７２を介して燃料貯留室１２に送られ、燃料貯留室１２内の圧力が高まることにより、燃料貯留室１２内の燃料が燃料供給管７０を介して燃料噴射体３０の燃料パイプ３７に送られるのである。
【００６４】
この他、図４に示すように、ベアリング部材４４を介して中央回転軸部５０の下端部分を保持している底室４１の内部には、タービン部材４の回転始動モータ７３が設置されている。この回転始動モータ７３は、底室４１の内部に緩衝用のブラケットを介して固定されている油圧ポンプ部７４に載置されている。また、中央回転軸部５０の下端部には、上側クラッチ盤７５が固定され、回転始動モータ７３の回転軸には下側クラッチ盤７６が固定されている。
【００６５】
そして、回転始動モータ７３の上昇により両クラッチ盤７５・７６が強固に接合し、回転始動モータ７３の駆動が中央回転軸部５０に伝わるようになっている。一方、回転始動モータ７３が下降したときは、両クラッチ盤７５・７６が離れ、互いの駆動が分断されるようなっている。
【００６６】
また、タービン部材４の中央回転軸部５０の駆動は、図１・図２に示すように、所定のトランスミッション機構部Ｔ１を介して連結軸Ｔ２に伝えられる。この連結軸Ｔ２は、飛行機体Ｐの上部において、飛行機体Ｐの尾翼側から機首側に向けて配置されている。また、連結軸Ｔ２の駆動は、所定のトランスミッション機構部Ｔ３を介して駆動軸Ｔ４に伝えられる。この駆動軸Ｔ４には、大型のプロペラ機構部Ｔ５が接続されている。
【００６７】
このように、タービン部材４の中央回転軸部５０を駆動させることにより、飛行機体Ｐのプロペラ機構部Ｔ５を回転させて、飛行機体Ｐの飛行を可能にするのである。
【００６８】
また、下筒部分２ｂにおける噴出回転排気室３８の外周には、図３・図１４（ａ）に示すように、排気排出機構８０が設けられている。
【００６９】
円筒部本体２を構成する下筒部分２ｂの周壁には、図１２・図１４（ｂ）に示すように、対向するように２箇所の排出孔８１が設けられている。この２箇所の排出孔８１の位置に合致するように、下筒部分２ｂの周壁に排出筒体８２Ａ・８２Ｂを設けている。
【００７０】
この排出筒体８２Ａ・８２Ｂは、基端部に排出孔８２ａを有し、先端部が下筒部分２ｂの側方に向けて突出されている。これらの下筒部分２ｂにおける排出孔８１と、排出孔８２ａを有する排出筒体８２Ａ・８２Ｂは、図１に示すように、いずれも飛行機体Ｐの側方を向くように位置している。
【００７１】
この排出孔８１を有する下筒部分２ｂの外周壁と、排出孔８２ａを有する排出筒体８２Ａ・８２Ｂの間には、図１４（ｂ）に示すように、所定の隙間が存在し、この隙間部分にリング状の排出量調整環８３が回動自在に配置されている。
【００７２】
排出量調整環８３は、図１５（ａ）に示すように、下筒部分２ｂの排出孔８１を閉鎖できる高さを有している。また、図１４（ｂ）・図１５（ａ）に示すように、対向する２箇所の位置に、開口部８４ａを設けている。
【００７３】
また、図１４（ｂ）に示すように、両開口部８４ａに隣接するように、開口部８４ｂ、８４ｃを設けている。この開口部８４ｂ、８４ｃは、いずれも同一方向に開口部８４ａに隣接している（図１４（ｂ）に示す図において、いずれも開口部８４ａの下方向に隣接している）。さらに、排出量調整環８３の外周壁には、所定の長さの歯部８５を設けている。
【００７４】
排出孔８１を有する下筒部分２ｂの外周壁には、図１５（ｂ）に示すように、所定の間隔を開けて２本の突出環８６を設けている。この２本の突出環８６により排出量調整環８３を挟み込んで、下筒部分２ｂの外周壁に排出量調整環８３を回動自在に保持しているのである。
【００７５】
排出量調整環８３の移動は、下筒部分２ｂに取り付けた回転調整部８７を操作して行う。この回転調整部８７は、図１５（ｂ）に示すように、略コ字型の固定部８８と、この固定部８８に保持されている縦型の軸部８９により形成されている。
【００７６】
軸部８９上端部には、所定の操作片９０が設けられている。また、軸部８９下部には、所定の歯車９１が固定されている。この歯車９１の歯は、排出量調整環８３の外周壁に設けている所定の長さの歯部８５に歯合している。
【００７７】
噴出回転排気室３からの排気量調整は、この回転調整部８７の操作片９０を廻して行う。
【００７８】
例えば、操作片９０を廻して排出量調整環８３を移動させ、図１４（ｂ）に示すように、排出筒体８２Ａの排出孔８２ａ・排出量調整環８３の開口部８４ａ・下筒部分２ｂの排出孔８１が連通した状態とする。同様に、排出筒体８２Ｂの排出孔８２ａ・排出量調整環８３の開口部８４ａ・下筒部分２ｂの排出孔８１も連通した状態とする。このとき、排出筒体８２Ａ・８２Ｂから排出される排気量は、等しくなる。
【００７９】
また、回転調整部８７の操作片９０を廻し、排出量調整環８３を図１４（ｂ）のF方向に移動させる。すると、排出筒体８２Ａの排出孔８２ａ・排出量調整環８３の開口部８４ｃ・下筒部分２bの排出孔８１が連通した状態となる。
【００８０】
一方、排出筒体８２Ｂの排出孔８２ａと下筒部分２ｂの排出孔８１は、排出量調整環８３により閉鎖される。そのため、排出筒体８２Ａのみから排気が排出されることとなる。
【００８１】
さらに、回転調整部８７の操作片９０を廻し、排出量調整環８３を図１４（ｂ）のG方向に移動させる。すると、排出筒体８２Ａの排出孔８２ａと下筒部分２ｂの排出孔８１は、排出量調整環８３により閉鎖される。
【００８２】
一方、排出筒体８２Ｂの排出孔８２ａ・排出量調整環８３の開口部８４b・下筒部分２bの排出孔８１が連通した状態となる。そのため、排出筒体８２Ｂのみから排気が排出されることとなる。
【００８３】
このように、排出筒体８２Ａ・８２Ｂから排出する排気量を調整することにより、飛行機体Ｐの尾翼側を移動させ、飛行機体Ｐの進行方向を決定するのである。
【００８４】
この他、飛行機体Ｐの下部には、図２に示すように、下筒部分２ｂの回転排気排出口４３に向けて進退移動する開閉機構１００を備えている。
【００８５】
この開閉機構１００は、飛行機体Ｐの下部においてスライド移動するケーシング部１０１と、ケーシング部１０１を移動させる油圧ポンプ部１０２により構成されている。ケーシング部１０１は、油圧ポンプ部１０２が備えている伸縮ピストンロッド１０３に連結されている。
【００８６】
ケーシング部１００は、図１６・図１７に示すように、飛行機体Ｐの下側に配置されている一対のレール部１０４を介して飛行機体Ｐに取り付けられている。
【００８７】
レール部１０４は、円筒部本体２の回転排気排出口４３を挟み込むようにして、飛行機体Ｐの下側に固定されている。このレール部１０４は、側方から見て内向きの略Ｊ字型に形成され、レール内に複数のローラ１０５を並設している。個々のローラ１０５は、所定の軸を介してレール内に回転自在に取り付けられている。
【００８８】
ケーシング部１００は、方形状の底板と、底板の両端部に垂設した側壁を備え、両側壁間に傾斜板１０６を固定している。この傾斜板１０６は、図１６に示すように、先端部側が上方に位置し、後方側が下方に位置するように傾斜している。また、ケーシング部１００の後方側は、開放された状態となっている。
【００８９】
その為、円筒部本体２の回転排気排出口４３からの排気が、ケーシング部１００の傾斜板１０６に当ったときは、傾斜板１０６に沿ってケーシング部１００の後方から噴出されることとなり、前方向への推進力が生じる。
【００９０】
さらに、ケーシング部１００は、両側壁の上端部に掛架片１０７を備えている。この掛架片１０７は、側壁の上端部から横方向に延設された水平板部と、水平板部の先端に設けた下向片により形成されている。そして、掛架片１０７の下向片を、レール部１０４のローラ１０５に載せて、ケーシング部９１が前後にスライド移動できるようになっている。
【００９１】
次に、以上のように構成された飛行機体Ｐの回転排気式エンジン１について、動作の一例を説明する。
【００９２】
回転排気式エンジン１を始動させるときは、底室４１内の回転始動モータ７３を油圧ポンプ部７４により上昇させ、回転始動モータ７３の下側クラッチ盤７６を、中央回転軸部５０の上側クラッチ盤７５に強固に接合させる。この状態で回転始動モータ７３を駆動させて、タービン部材４を回転させる。
【００９３】
次に、燃焼噴出機構２０を構成する燃料噴射体３０に燃料を送り込んで、燃料噴射ノズル３５から燃料を霧状に噴射し、点火栓３６により点火する。そして、燃料噴射体３０を内蔵している高圧空気路２１の排気噴出口２３から、排気を高速で噴出させる。この高速で噴出される排気により、主駆動タービン６１を介してタービン部材４が高速で回転することから、この時点で回転始動モータ７３の下側クラッチ盤７６と、中央回転軸部５０の上側クラッチ盤７５の接合を解除する。
【００９４】
タービン部材４が高速で回転すると、中央回転軸部５０に取り付けている圧縮内側羽根５２も、保持筒体３の空気圧縮室１１内において高速回転する。同様に、上側高圧羽根５３も、保持筒体３の第一高圧室１５内において高速回転する。同様に、下側高圧羽根５８も、保持筒体３の第二高圧室１６内において高速回転する。
【００９５】
このように、保持筒体３の空気圧縮室１１内において圧縮内側羽根５２が高速回転し、取り込んだ空気を圧縮しながら保持筒体３の底部分に向けて強制的に送り込んでいる。
【００９６】
また、保持筒体３の底部分においては、第一高圧室１５内において上側高圧羽根５３が高速回転し、空気をさらに圧縮する。同様に、第二高圧室１６内においても下側高圧羽根５８が高速回転し、空気を圧縮する。
【００９７】
さらに、上側高圧羽根５３と下側高圧羽根５８の高速回転により、保持筒体３の底部分において、圧縮されて高圧になっている空気の旋回流が生じている。また、保持筒体３内は、圧縮された空気により全体が高圧の状態となっている。
【００９８】
このように、保持筒体３内において充分に圧縮されて高圧になり、旋回流が生じている空気は、保持筒体３の開口部２２を通過して燃焼噴出機構２０の各高圧空気路２１に送られる。
【００９９】
各高圧空気路２１においては、点火状態の燃料噴射体３０が存在し、圧縮されて高圧になっている空気が、空気取り入れ孔３１を介して外側ケース３２と内側ケース３３の間に送り込まれる。また、外側ケース３２と内側ケース３３の間においては、燃料噴射ノズル３５から燃料が霧状に噴射されており、圧縮されて高圧になっている空気と霧状の燃料が混合して燃焼し、開口部３４から排気を高速で噴出させる。このようにして、高圧空気路２１の排気噴出口２３から、排気を高速で噴出させるのである。
【０１００】
この高速で噴出される排気により、主駆動タービン６１を介してタービン部材４が高速で回転するのであるが、図１２に示すように、主駆動タービン６１は、保持筒体３の底部分の外周（第一高圧室１５の外周）に巻回状に設けている燃焼噴出機構２０を取り囲むように配置されており、大タービン羽根６２の内側に燃焼噴出機構２０が位置していることから、大タービン羽根６２の内側において排気が高速で噴出されている。
【０１０１】
そのため、図１３に示すように、高速で噴出された排気が大タービン羽根６２の内側の全体に満遍なく当たって、主駆動タービン６１を効率よく回転させている。
【０１０２】
また、排気が高速で噴出されている方向と大タービン羽根６２が回転する方向が同一となり、主駆動タービン６１を効率よく回転させている。さらに、燃焼噴出機構２０における高圧空気路２１の排気噴出口２３と燃料噴射体３０の開口部３４は、図７に示すように、いずれも保持筒体３の周壁に沿うように配置されている。
【０１０３】
その為、図１３に示すように、大タービン羽根６２の回転する方向に沿って排気を高速で噴出して、大タービン羽根６２の内側において旋回流を生じさせ、この旋回流が大タービン羽根６２の全体に満遍なく当たって、主駆動タービン６１を効率よく回転させている。また、旋回流は、大タービン羽根６２の外側においても発生し、下筒部分２ｂにおける噴出回転排気室３８の全体に旋回流が生じることとなり、主駆動タービン６１を効率よく回転させている。
【０１０４】
加えて、円周の大きい主駆動タービン６１により回転力を得ることから、中央回転軸部５０に伝達される回転力がさらに大きなものとなる。このタービン部材４の中央回転軸部５０の駆動は、トランスミッション機構部Ｔ１を介して連結軸Ｔ２に伝えられ、連結軸Ｔ２の駆動は、トランスミッション機構部Ｔ３を介して、駆動軸Ｔ４に伝えられる。この駆動軸Ｔ４には、大型のプロペラ機構部Ｔ５が接続されていることから、タービン部材４の中央回転軸部５０を駆動させることにより、飛行機体Ｐのプロペラ機構部Ｔ５を回転させて、飛行機体Ｐの飛行を可能にする揚力を得るのである。
【０１０５】
そして、噴出回転排気室３８に生じた旋回流は、連結板部材４０の間を通過して下筒部分２ｂにおける下方に送られ、その回転力が衰えることなく、底室４１の周囲を旋回しながら回転排気排出口４３から排出される。
【０１０６】
このとき、旋回流は、底室４１を形成している中空の円錐台形状部分の外周を旋回し、その通路が次第に狭くなっていることから、再度加圧されて高圧の状態で旋回し、回転排気排出口４３から排出されて所定の揚力が得られる。
【０１０７】
また、油圧ポンプ部１０２を介してケーシング部１００をスライド移動させ、下筒部分２ｂにおける回転排気排出口４３の下方にケーシング部１００の傾斜板１０６を配置したときには、円筒部本体２の回転排気排出口４３からの排気が、ケーシング部１００の傾斜板１０６に当って傾斜板１０６に沿って流れ、ケーシング部１００の後方から噴出されることとなり、前方向への推進力が生じる。
【０１０８】
この他、回転調整部８７の操作片９０を操作して、排出筒体８２Ａ・８２Ｂから排出する排気量を調整することにより、飛行機体Ｐの尾翼側を移動させ、飛行機体Ｐの進行方向を決定することも可能となる。
【産業上の利用可能性】
【０１０９】
本発明に係る飛行機体の回転排気式エンジンは、航空機分野における、例えば、輸送用ヘリコプター等に搭載されることの他に、様々な飛翔体の揚力発生可能な垂直離着陸装置として、幅広く利用することができる。
【図面の簡単な説明】
【０１１０】
【図１】回転排気式エンジンを搭載した飛行機体の構成を示す平面図である。
【図２】回転排気式エンジンを搭載した飛行機体の構成を示す側面図である。
【図３】タービン部材を備えている円筒部本体の構成を示す斜視図である。
【図４】タービン部材を備えている円筒部本体の構成を示す断面図である。
【図５】タービン部材が存在していない円筒部本体の構成を示す断面図である。
【図６】円筒部本体の上筒部分の構成を示す切断斜視図である。
【図７】燃焼噴出機構の構成を示す平面図である。
【図８】燃料噴射体の構成を示す切断斜視図である。
【図９】タービン部材の構成を示す一部拡大の側面図である。
【図１０】上側高圧羽根、下側高圧羽根、主駆動タービンの構成を示す分解斜視図である。
【図１１】タービン部材が存在していない円筒部本体の構成を示す断面図である。
【図１２】円筒部本体の構成を示す平断面図である。
【図１３】燃料噴射体から高速で噴出された排気が、大タービン羽根の内側の全体に当たって、主駆動タービンを効率よく回転させる状態を示す概略の斜視図である。
【図１４】排気排出機構の構成を示すもので、（ａ）は平面図、（ｂ）は平断面図である。
【図１５】排気排出機構の構成を示すもので、（ａ）は排出量調整環の斜視図、（ｂ）は回転調整部の斜視図である。
【図１６】開閉機構の構成を示す斜視図である。
【図１７】開閉機構の構成を示す断面図である。
【符号の説明】
【０１１１】
Ｐ…飛行機体
Ｔ１…トランスミッション機構部
Ｔ２…連結軸
Ｔ３…トランスミッション機構部
Ｔ４…駆動軸
Ｔ５…プロペラ機構部
１…回転排気式エンジン
２…円筒部本体
２ａ…上筒部分
２ｂ…下筒部分
３…保持筒体
４…タービン部材
５…熱の伝達防止用空間
６…輪郭縁部材
７…仕切板部材
８…空気取り入れ開口部
９…ベアリング部材
１０…圧縮外側羽根
１１…空気圧縮室
１２…燃料貯留室
１３…上方仕切板
１４…下方仕切板
１５…第一高圧室
１６…第二高圧室
２０…燃焼噴出機構
２１…高圧空気路
２２…開口部
２３…排気噴出口
３０…燃料噴射体
３１…空気取り入れ孔
３２…外側ケース
３３…内側ケース
３４…開口部
３５…燃料噴射ノズル
３６…点火栓
３７…燃料パイプ
３８…噴出回転排気室
４０…長尺連結板部材
４１…底室
４２…短尺連結板部材
４３…回転排気排出口
４４…ベアリング部材
５０…中央回転軸部
５１…基部
５２…圧縮内側羽根
５３…上側高圧羽根
５４…小タービン羽根
５５…板部材
５６…板羽根部材
５７…筒部材
５８…下側高圧羽根
５９…筒部材
６０…板羽根部材
６１…主駆動タービン
６２…大タービン羽根
６３…補強部材
６４…板羽根部材
６５…元部
６５ａ…垂直筒部分
６５ｂ…円形部分
６６…ベアリング部材
６７…吸引通路
６８…空気噴射通路
７０…燃料供給管
７１…燃料の流量調節部
７２…高圧空気管
７３…回転始動モータ
７４…油圧ポンプ部
７５…上側クラッチ盤
７６…下側クラッチ盤
８０…排気排出機構
８１…排出孔
８２Ａ…排出筒体
８２Ｂ…排出筒体
８２ａ…排出孔
８３…排出量調整環
８４ａ…開口部
８４ｂ…開口部
８４ｃ…開口部
８５…歯部
８６…突出環
８７…回転調整部
８８…固定部
８９…軸部
９０…操作片
９１…歯車
１００…開閉機構
１０１…ケーシング部
１０２…油圧ポンプ部
１０３…伸縮ピストンロッド
１０４…レール部
１０５…ローラ
１０６…傾斜板
１０７…掛架片
【図１】
2010133273.tif 000003
【図２】
2010133273.tif 000004
【図３】
2010133273.tif 000005
【図４】
2010133273.tif 000006
【図５】
2010133273.tif 000007
【図６】
2010133273.tif 000008
【図７】
2010133273.tif 000009
【図８】
2010133273.tif 000010
【図９】
2010133273.tif 000011
【図１０】
2010133273.tif 000012
【図１１】
2010133273.tif 000013
【図１２】
2010133273.tif 000014
【図１３】
2010133273.tif 000015
【図１４】
2010133273.tif 000016
【図１５】
2010133273.tif 000017
【図１６】
2010133273.tif 000018
【図１７】
2010133273.tif 000019